(57)【要約】【課題】施工時の取り扱いが容易で、未熟練者でも簡単に施工することができ、しかも、下地の形状が現れないために入念な下地処理が不要である化粧板を提供する。【解決手段】板状の基材１と、基材１の一方の面に塗布された第１の接着剤２と、第１の接着剤２によって基材１の一方の面に接着されたシート状の表面化粧材３と、基材１の他方の面に塗布された第２の接着剤４と、第２の接着剤４を覆う剥離可能な離型材５と、を備え、基材１は、第１の接着剤２を介して一方の面に接着された表面化粧材３の姿勢を保持するとともに、カッターで容易に切断可能であり、離型材５を剥がして前記第２の接着剤４により施工対象物の表面に接着される。【選択図】図１
2013022741.tif 000002
【特許請求の範囲】
【請求項１】
施工対象物の表面を被覆する化粧板において、
板状の基材と、
前記基材の一方の面に塗布された第１の接着剤と、
前記第１の接着剤によって前記基材の一方の面に接着されたシート状の表面化粧材と、
前記基材の他方の面に塗布された第２の接着剤と、
前記第２の接着剤を覆う剥離可能な離型材と、を備え、
前記基材は、前記第１の接着剤を介して前記一方の面に接着された前記表面化粧材の姿勢を保持するとともに、カッターで容易に切断可能であり、前記離型材を剥がして前記第２の接着剤により前記施工対象物の表面に接着される、
ことを特徴とする化粧板。
【請求項２】
前記基材が中密度繊維板である、
ことを特徴とする請求項１に記載の化粧板。
【請求項３】
前記中密度繊維板は、厚さが０．５ｍｍ以上２ｍｍ以下である、
ことを特徴とする請求項２に記載の化粧板。
【請求項４】
前記表面化粧材が木材をシート状にスライスしたものである、
ことを特徴とする請求項１ないし３のいずれか１項に記載の化粧板。
【請求項５】
前記第２の接着剤がトルエンを含まない接着剤である、
ことを特徴とする請求項１ないし４のいずれか１項に記載の化粧板。
【請求項６】
板状の基材と、前記基材の一方の面に第１の接着剤によって接着されたシート状の表面化粧材と、前記基材の他方の面に塗布された第２の接着剤を覆う剥離可能な離型材とを備え、前記基材が前記表面化粧材の姿勢を保持する化粧板を使用した、施工対象物の表面化粧方法において、
前記化粧板をカッターで所定の形状に切断する切断工程と、
切断後の前記化粧板の前記離型材を剥がして前記第２の接着剤を露出させる剥離工程と、
前記第２の接着剤により前記基材を前記施工対象物に接着して前記施工対象物を前記表面化粧材で覆う接着工程と、を有する、
ことを特徴とする施工対象物の表面化粧方法。
【請求項７】
前記基材が、０．５ｍｍ以上２ｍｍ以下の中密度繊維板である、
ことを特徴とする請求項６に記載の施工対象物の表面化粧方法。
【発明の詳細な説明】
【技術分野】
【０００１】
本発明は、内壁、ドア、家具等の施工対象物の表面を化粧する化粧板、及びこれを使用した化粧方法に関する。
【背景技術】
【０００２】
従来、内壁、ドア、家具等の施工対象物の表面に接着して、表面を化粧する壁紙が知られている（例えば、特許文献１参照）。
【０００３】
このものは、シート状の壁紙片の裏面に接着剤を塗布し、この接着剤を剥離紙で覆ったものである。
【０００４】
この壁紙によれば、施工対象物の表面の凹凸やひび割れ部分にパテを埋め込む等の下地処理を施した後、剥離紙を剥がして接着剤を露出させ、壁紙片を接着剤により施工対象物の表面に接着することにより、熟練を要することなく壁紙を張ることができる。
【先行技術文献】
【特許文献】
【０００５】
【特許文献１】特開平８−２６０６５１号公報
【発明の概要】
【発明が解決しようとする課題】
【０００６】
しかしながら、上述の壁紙は、全体がシート状であって、姿勢が安定しないために施工時の取り扱いが難しいという問題があった。
【０００７】
すなわち、施工に際し、例えば、剥離紙をはがして接着剤を露出させると、シート状で姿勢が安定しないために、型崩れしてある部分と他の部分の接着剤が不要にくっついてしまって、剥がせなくなったり、剥がせたとしても皺になったりするおそれがある。
【０００８】
また、接着時に皺ができないようにしたり、空気が入らないようにしたり、細心の注意を払って施工しなければならない。さらに、同じくシート状であるために、接着後に施工対象物の表面が壁紙を通して現れてしまうため、接着前に、下地処理を入念に行う必要があるという問題があった。
【０００９】
そこで、本発明は、基材を板状とすることで、施工時の取り扱いが容易で、未熟練者でも簡単に施工することができ、しかも、施工対象物の表面（下地）の形状が現れないために入念な下地処理が不要である化粧板、及びこれを使用した化粧方法を提供することを目的とするものである。
【課題を解決するための手段】
【００１０】
請求項１に係る発明は、施工対象物の表面を被覆する化粧板において、板状の基材と、前記基材の一方の面に塗布された第１の接着剤と、前記第１の接着剤によって前記基材の一方の面に接着されたシート状の表面化粧材と、前記基材の他方の面に塗布された第２の接着剤と、前記第２の接着剤を覆う剥離可能な離型材と、を備え、前記基材は、前記第１の接着剤を介して前記一方の面に接着された前記表面化粧材の姿勢を保持するとともに、カッターで容易に切断可能であり、前記離型材を剥がして前記第２の接着剤により前記施工対象物の表面に接着される、ことを特徴とする。
【００１１】
請求項２に係る発明は、請求項１に係る化粧板において、前記基材が中密度繊維板である、ことを特徴とする。
【００１２】
請求項３に係る発明は、請求項２に係る化粧板において、前記中密度繊維板は、厚さが０．５ｍｍ以上２ｍｍ以下である、ことを特徴とする。
【００１３】
請求項４に係る発明は、請求項１ないし３のいずれか１項に記載の化粧板において、前記表面化粧材が木材をシート状にスライスしたものである、ことを特徴とする。
【００１４】
請求項５に係る発明は、請求項１ないし４のいずれか１項に記載の化粧板において、前記第２の接着剤がトルエンを含まない接着剤である、ことを特徴とする。
【００１５】
請求項６に係る発明は、板状の基材と、前記基材の一方の面に第１の接着剤によって接着されたシート状の表面化粧材と、前記基材の他方の面に塗布された第２の接着剤を覆う剥離可能な離型材とを備え、前記基材が前記表面化粧材の姿勢を保持する化粧板を使用した、施工対象物の表面化粧方法において、前記化粧板をカッターで所定の形状に切断する切断工程と、切断後の前記化粧板の前記離型材を剥がして前記第２の接着剤を露出させる剥離工程と、前記第２の接着剤により前記基材を前記施工対象物に接着して前記施工対象物を前記表面化粧材で覆う接着工程と、を有する、ことを特徴とする。
【００１６】
請求項７に係る発明は、請求項６に係る施工対象物の表面化粧方法において、前記基材が、０．５ｍｍ以上２ｍｍ以下の中密度繊維板である、ことを特徴とする。
【発明の効果】
【００１７】
請求項１の発明によれば、基材が板状で、かつカッターで容易に切断可能であるので、施工対象物に合わせて、簡単に所定の形状に切りだすことができ、また、表面化粧材の姿勢を保持することができるので、取り扱いが簡単である。さらに、基材は、板状であるため、施工対象物の表面に接着した際に、シート状である場合と異なり、施工対象物の表面の形状が表れにくい。このため、施工対象物の表面の下地処理を入念に行う必要がない。
【００１８】
請求項２の発明によれば、基材が中密度繊維板であるので、例えば、カッターで容易に切断することができ、しかも、木目や板の縦横が指定される場合と異なり、切断時の方向性がないので、任意の方向に同じように切断することができ、所定の形状に正確に切り出すことができる。また、基材が中密度繊維板であるため、例えば、２枚隣接させて接着させた際に、相互の端縁が適度に圧縮されて、境界が目立たなくなる。また、中密度繊維板は、厚さについて高い精度を確保できるので、この点によっても、境界が目立たなくなる。
【００１９】
請求項３の発明によれば、中密度繊維板の厚さを、０．５ｍｍ以上２ｍｍ以下とすることにより、表面化粧材の姿勢を確実に確保することができるとともに、カッターによる切断が容易となる。
【００２０】
請求項４の発明によれば、表面化粧材が木材をシート状にスライスしたものであるので、外見は、無垢の木材に見せることができる。
【００２１】
請求項５の発明によれば、第２の接着剤がトルエンを含まない接着剤であるので、トルエンを含む接着剤と比較して、環境に対する影響を低減することができる。
【００２２】
請求項６の発明によれば、化粧板をカッターによって簡単に所定の形状に切りだすことができ、また、板状の基材により表面化粧材の姿勢を保持することができ、さらに、離型材を剥がすことで、表面化粧材を基材とともに、施工対象物の表面に容易に接着することができる。
【００２３】
請求項７の発明によれば、中密度繊維板の厚さを、０．５ｍｍ以上２ｍｍ以下とすることにより、表面化粧材の姿勢を確実に確保することができるとともに、カッターによる切断が容易となる。
【図面の簡単な説明】
【００２４】
【図１】化粧板１０の一部破断斜視図である。
【図２】（Ａ）は化粧板１０の正面図（表面側から見たい図）であり、（Ｂ）は化粧板１０の側面図（厚さが現れる方向から見た図）であり、（Ｃ）は（Ｂ）中のＰ部分の拡大図である。
【発明を実施するための形態】
【００２５】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２６】
図１，図２を参照して本発明を適用した実施形態１に係る化粧板１０について説明する。ここで、図１は、化粧板１０の一部破断斜視図である。また、図２（Ａ）は化粧板１０の正面図（表面側から見たい図）であり、図２（Ｂ）は化粧板１０の側面図（厚さが現れる方向から見た図）であり、（Ｃ）は（Ｂ）中のＰ部分の拡大図である。
【００２７】
これらの図に示すように、化粧板１０は、基材１と、第１の接着剤２と、表面化粧材３と、第２の接着剤４と、離型材５と、を備えて構成されており、これらが層状に積層されている。
【００２８】
基材１は、薄板状の部材である。基材１は、その表面側（一方の面）に第１の接着剤２を介して接着された表面化粧材３の姿勢を保持することができれば、任意の材質、任意の厚さのものを使用することができるが、重量的には軽い方が好ましいので、薄くかつ十分な強度を有するものが好ましい。このような観点から、基材１としては、中密度繊維板を好適に使用することができる。中密度繊維板は、木材粉を固めたものであり、カッター等の切断具で簡単に切断することができ、かつ無垢の板や、一般的な合板とは異なり、繊維の方向性がないため、例えば、未熟練者であっても高い精度で切断することが可能である。中密度繊維板としては、表面化粧板３の形状を確実に保持することができ、かつ、十分な強度を有することを条件に、できるだけ薄い方が好ましい。基材１としての中密度繊維板は、具体的には、厚さＴ１が、０．５以上２ｍｍ以下であることが好ましく、さらには、０．７ｍｍ以上１．５ｍｍ以下がさらに好ましい。このような厚さに設定することで、重量を軽減することができ、かつ、表面化粧板３の姿勢を有効に保持することができ、さらに、カッターによる切断が容易となる。基材１としては、例えば、長さＨが２４００ｍｍ、幅Ｗが３００ｍｍに設定することができる。
【００２９】
第１の接着剤２は、基材１の表面（一方の面）に表面化粧板３を接着するためのものであり、一般的な接着剤、例えば、エマルジョン系接着剤を使用することができる。
【００３０】
表面化粧材３としては、任意のシート状部材を使用することができる。例えば、オレフィンシート、鏡面シート、ビニールクロス、突板、ミラーシート等を使用することができる。表面化粧板３は、その裏面側に、上述の第１の接着材２により、基材１が接着されることにより、その姿勢を保持することが可能となる。表面化粧材３の厚さＴ３は、例えば、０．１５ｍｍ程度である。
【００３１】
第２の接着剤４は、基材１の裏面（他方の面）に塗布されている。第２の接着剤４は、基材１を、内壁、ドア、家具等の施工対象物の表面に接着するためのものであり、例えば、トルエンを含有しない、アクリル系接着剤を好適に使用することができる。
【００３２】
離型材５は、化粧板１０の施工に際して、剥離され、これにより、上述の第２の接着剤４を露出させる。離型材５としては、通常は剥離しにくく、かつ、使用者の積極的な剥離動作によっては比較的容易に剥離されるものが好ましく、一般的な、剥離紙を使用することができる。離型材５の厚さＴ５は、例えば、０．０５ｍｍである。
【００３３】
ここで、化粧板１０の全体の厚さＴは、第１の接着剤２及び第２の接着剤４の厚さを考慮に入れない場合には、基材１の厚さＴに応じて、０．７〜２．２ｍｍとなる。なお、上述のように、基材１の長さＨを２４００ｍｍ、幅Ｗを３００ｍｍに設定した場合には、化粧板１０全体の重量、強度等を考慮して、全体の厚さＴが、１．０〜１．２ｍｍ程度となるのが好ましい。
【００３４】
上述構成の化粧板１０は、以下のようにして使用される。すなわち、切断工程、剥離工程、接着工程によって、加工対象物の表面に接着される。
【００３５】
まず、化粧板１０の接着対象となる加工対象物の表面の埃やごみを払拭する。これらが付着していると、第２の接着剤４の接着力が低下するからである。ここで、従来のシート状の壁紙では、壁紙の接着後に、壁紙の表面に、加工対象物の表面の形状が現れてしまうために、接着前に、施工対象物の表面を十分に平滑に仕上げておく必要があった。これに対して、化粧板１０は、板状であるため、接着後に、加工対象物の表面の形状が現れるおそれがほとんどない。このため、加工対象物の表面の平滑作業は、入念に行う必要がなく、その分、作業効率が向上する。
【００３６】
切断工程：例えば、化粧板１０を、カッターを使用して、図２（Ａ）に示す切断線Ｋ１，Ｋ２，Ｋ３等で切断して所定の形状に切り出す。なお、カッターとしては、文具として一般に市販されているカッターで十分である。
【００３７】
剥離工程：切断後の化粧板１０の離型材５を剥がして第２の接着剤４を露出させる。
【００３８】
接着工程：第２の接着剤４により基材１を施工対象物に接着して施工対象物を表面化粧材３で覆う。
【００３９】
以上で、施工を終了する。
【００４０】
以上説明した化粧板１０によれば、
（１）基材１が板状で、かつカッターで容易に切断可能であるので、施工対象物に合わせて、簡単に所定の形状に切りだすことができ、また、表面化粧材３の姿勢を保持することができるので、取り扱いが簡単である。さらに、基材１は、板状であるため、施工対象物の表面に接着した際に、シート状である場合と異なり、施工対象物の表面の形状が現れにくい。このため、施工対象物の表面の下地処理を入念に行う必要がない。
【００４１】
（２）基材１が中密度繊維板である場合には、例えば、カッターで容易に切断することができ、しかも、木目や板の縦横が指定される場合と異なり、切断時の方向性がないので、任意の方向に同じように切断することができ、所定の形状に正確に切り出すことができる。また、基材１が中密度繊維板であれば、例えば、２枚隣接させて接着させた際に、相互の端縁が適度に圧縮されて、境界が目立たなくなる。また、中密度繊維板は、表面研磨により、厚さについて高い精度を確保できるので、この点によっても、境界が目立たなくなる。
【００４２】
（３）中密度繊維板の厚さを、０．５ｍｍ以上２ｍｍ以下とすることにより、表面化粧材の姿勢を確実に確保することができるとともに、カッターによる切断が容易となる。
【００４３】
（４）表面化粧材３が木材をシート状にスライスしたものであるので、外見は、無垢の木材に見せて、高級感を出すことができる。
【００４４】
（５）第２の接着剤がトルエンを含まない接着剤であるので、トルエンを含む接着剤と比較して、環境に対する影響を低減することができる。
【００４５】
（６）化粧板３をカッターによって簡単に所定の形状に切りだすことができ、また、板状の基材１により表面化粧材の姿勢を保持することができ、さらに、離型材５を剥がすことで、表面化粧材３を基材１とともに、施工対象物の表面に容易に接着することができる。
【符号の説明】
【００４６】
１  基材
２  第１の接着剤
３  表面化粧材
４  第２の接着剤
５  離型材
１０  化粧板
Ｈ  化粧板の長さ
Ｋ１，Ｋ２，Ｋ３  カッターによる切断線
Ｔ  化粧板（全体）の厚さ
Ｔ１  基材の厚さ
Ｔ３  表面化粧板の厚さ
Ｔ５  離型材の厚さ
Ｗ  化粧板の幅
【図１】
2013022741.tif 000003
【図２】
2013022741.tif 000004